(57)【要約】【課題】蓄積した画像データの使い勝手を向上できる画像処理装置および画像処理装置の制御方法およびプログラムおよび記憶媒体を提供すること目的とする。【解決手段】画像読取機能を少なくとも備えた画像処理装置において、最終印刷物の印刷態様を操作入力する入力手段と、前記画像読取機能を用いて読み取って得た画像データを蓄積する画像蓄積手段を備え、画像読取時、前記入力手段より操作入力された操作情報を、前記画像蓄積手段に蓄積した画像データに関連して記憶するようにした。【選択図】        図１
2007028259.tif 000002
【特許請求の範囲】
【請求項１】
画像読取機能を少なくとも備えた画像処理装置において、
最終印刷物の印刷態様を操作入力する入力手段と、
前記画像読取機能を用いて読み取って得た画像データを蓄積する画像蓄積手段を備え、
画像読取時、前記入力手段より操作入力された操作情報を、前記画像蓄積手段に蓄積した画像データに関連して記憶することを特徴とする画像形成装置。
【請求項２】
画像読取機能を少なくとも備えた画像処理装置の制御方法において、
最終印刷物の印刷態様を操作入力する入力手段と、
前記画像読取機能を用いて読み取って得た画像データを蓄積する画像蓄積手段を備え、
画像読取時、前記入力手段より操作入力された操作情報を、前記画像蓄積手段に蓄積した画像データに関連して記憶することを特徴とする画像形成装置の制御方法。
【請求項３】
画像読取機能を少なくとも備えた画像処理装置において、
最終印刷物の印刷態様を操作入力する入力手段と、
前記画像読取機能を用いて読み取って得た画像データを蓄積する画像蓄積手段と、
外部装置との間でデータをやりとりするための通信手段を備え、
画像読取時、前記入力手段より操作入力された操作情報を、前記画像蓄積手段に蓄積した画像データに関連して記憶するとともに、
前記画像蓄積手段に蓄積した画像データを前記通信手段を介して外部装置へ送信する際、当該画像データに関連して記憶した前記操作情報も送信することを特徴とする画像形成装置。
【請求項４】
画像読取機能を少なくとも備えた画像処理装置の制御方法において、
最終印刷物の印刷態様を操作入力する入力手段と、
前記画像読取機能を用いて読み取って得た画像データを蓄積する画像蓄積手段と、
外部装置との間でデータをやりとりするための通信手段を備え、
画像読取時、前記入力手段より操作入力された操作情報を、前記画像蓄積手段に蓄積した画像データに関連して記憶するとともに、
前記画像蓄積手段に蓄積した画像データを前記通信手段を介して外部装置へ送信する際、当該画像データに関連して記憶した前記操作情報も送信することを特徴とする画像形成装置の制御方法。
【請求項５】
画像読取機能を少なくとも備えた画像処理装置において、
最終印刷物の印刷態様を操作入力する入力手段と、
前記画像読取機能を用いて読み取って得た画像データを蓄積する画像蓄積手段と、
外部装置との間でデータをやりとりするための通信手段を備え、
画像読取時、前記入力手段より操作入力された操作情報を、前記画像蓄積手段に蓄積した画像データに関連して記憶するとともに、
前記画像蓄積手段に蓄積した画像データを前記通信手段を介して外部装置へ送信する際、当該外部装置が画像形成装置である場合には、前記画像データおよび当該画像データに関連して記憶した前記操作情報を送信する一方、当該外部装置が画像形成装置以外である場合には、前記画像データを送信することを特徴とする画像形成装置。
【請求項６】
画像読取機能を少なくとも備えた画像処理装置の制御方法において、
最終印刷物の印刷態様を操作入力する入力手段と、
前記画像読取機能を用いて読み取って得た画像データを蓄積する画像蓄積手段と、
外部装置との間でデータをやりとりするための通信手段を備え、
画像読取時、前記入力手段より操作入力された操作情報を、前記画像蓄積手段に蓄積した画像データに関連して記憶するとともに、
前記画像蓄積手段に蓄積した画像データを前記通信手段を介して外部装置へ送信する際、当該外部装置が画像形成装置である場合には、前記画像データおよび当該画像データに関連して記憶した前記操作情報を送信する一方、当該外部装置が画像形成装置以外である場合には、前記画像データを送信することを特徴とする画像形成装置の制御方法。
【請求項７】
画像読取機能を少なくとも備えた画像処理装置において、
最終印刷物の印刷態様を操作入力する入力手段と、
前記画像読取機能を用いて読み取って得た画像データを蓄積する画像蓄積手段と、
外部装置との間でデータをやりとりするための通信手段を備え、
画像読取時、前記入力手段より操作入力された操作情報を、前記画像蓄積手段に蓄積した画像データに関連して記憶するとともに、
前記画像蓄積手段に蓄積した画像データを前記通信手段を介して外部装置へ送信する際、当該外部装置が画像形成装置である場合には、当該外部装置の画像特性に応じて前記画像データと当該画像データに関連して記憶した前記操作情報を変換し、その変換後の画像データおよび操作情報を送信する一方、当該外部装置が画像形成装置以外である場合には、前記画像データのみを送信することを特徴とする画像形成装置。
【請求項８】
画像読取機能を少なくとも備えた画像処理装置の制御方法において、
最終印刷物の印刷態様を操作入力する入力手段と、
前記画像読取機能を用いて読み取って得た画像データを蓄積する画像蓄積手段と、
外部装置との間でデータをやりとりするための通信手段を備え、
画像読取時、前記入力手段より操作入力された操作情報を、前記画像蓄積手段に蓄積した画像データに関連して記憶するとともに、
前記画像蓄積手段に蓄積した画像データを前記通信手段を介して外部装置へ送信する際、当該外部装置が画像形成装置である場合には、当該外部装置の画像特性に応じて前記画像データと当該画像データに関連して記憶した前記操作情報を変換し、その変換後の画像データおよび操作情報を送信する一方、当該外部装置が画像形成装置以外である場合には、前記画像データのみを送信することを特徴とする画像形成装置の制御方法。
【請求項９】
画像読取機能、最終印刷物の印刷態様を操作入力する入力手段、および、前記画像読取機能を用いて読み取って得た画像データを蓄積する画像蓄積手段を少なくとも備えた画像処理装置に適用されるプログラムにおいて、
画像読取時、前記入力手段より操作入力された操作情報を、前記画像蓄積手段に蓄積した画像データに関連して記憶する処理ステップを備えたことを特徴とするプログラム。
【請求項１０】
画像読取機能、最終印刷物の印刷態様を操作入力する入力手段、前記画像読取機能を用いて読み取って得た画像データを蓄積する画像蓄積手段、および、外部装置との間でデータをやりとりするための通信手段を少なくとも備えた画像処理装置のプログラムにおいて、
画像読取時、前記入力手段より操作入力された操作情報を、前記画像蓄積手段に蓄積した画像データに関連して記憶する処理ステップと、
前記画像蓄積手段に蓄積した画像データを前記通信手段を介して外部装置へ送信する際、当該画像データに関連して記憶した前記操作情報も送信する処理ステップを備えたことを特徴とするプログラム。
【請求項１１】
画像読取機能、最終印刷物の印刷態様を操作入力する入力手段、前記画像読取機能を用いて読み取って得た画像データを蓄積する画像蓄積手段、外部装置との間でデータをやりとりするための通信手段を少なくとも備えた画像処理装置のプログラムにおいて、
画像読取時、前記入力手段より操作入力された操作情報を、前記画像蓄積手段に蓄積した画像データに関連して記憶する処理ステップと、
前記画像蓄積手段に蓄積した画像データを前記通信手段を介して外部装置へ送信する際、当該外部装置が画像形成装置である場合には、前記画像データおよび当該画像データに関連して記憶した前記操作情報を送信する一方、当該外部装置が画像形成装置以外である場合には、前記画像データを送信する処理ステップを備えたことを特徴とするプログラム。
【請求項１２】
画像読取機能、最終印刷物の印刷態様を操作入力する入力手段、前記画像読取機能を用いて読み取って得た画像データを蓄積する画像蓄積手段、外部装置との間でデータをやりとりするための通信手段を少なくとも備えた画像処理装置のプログラムにおいて、
画像読取時、前記入力手段より操作入力された操作情報を、前記画像蓄積手段に蓄積した画像データに関連して記憶する処理ステップと、
前記画像蓄積手段に蓄積した画像データを前記通信手段を介して外部装置へ送信する際、当該外部装置が画像形成装置である場合には、当該外部装置の画像特性に応じて前記画像データと当該画像データに関連して記憶した前記操作情報を変換し、その変換後の画像データおよび操作情報を送信する一方、当該外部装置が画像形成装置以外である場合には、前記画像データのみを送信する処理ステップを備えたことを特徴とするプログラム。
【請求項１３】
請求項９または請求項１０または請求項１１または請求項１２に記載のプログラムを格納した記憶媒体。
【発明の詳細な説明】
【技術分野】
【０００１】
本発明は、画像読取機能を少なくとも備えた画像処理装置および画像処理装置の制御方法およびプログラムおよび記憶媒体に関する。
【背景技術】
【０００２】
従来、画像読取機能、プリンター機能、および、複写機能等の複数の画像処理機能を備えた複合機では、ユーザに便利な機能、例えば、ドキュメントバンク機能や、ユーザプログラム登録機能などを備えている（特許文献１参照）。
【０００３】
ドキュメントバンク機能とは、使い回しの効く画像データ、例えば、地図や来訪客に提示する案内図など、あるいは、複写物に付加する画像データ、例えば、広告文書などを保存しておき、ユーザやシステムが適宜に保存した文書を活用できるようにした機能である。
【０００４】
また、ユーザプログラム登録機能とは、複数の複写モードを組み合わせて特定の作業を行わせるための操作内容や操作情報などを１つの登録キーにプログラムとして登録し、同一プログラムを１キー操作で使えるようにしたものである。
【特許文献１】特開２０００−１８４２１３号公報
【発明の開示】
【発明が解決しようとする課題】
【０００５】
ところで、このような複合機で、ドキュメントバンク機能を利用する場合、ユーザが操作した内容を反映した状態の画像データが保存される。例えば、２枚の画像を１ページに集約する２ｉｎ１モードを選択して画像読取させた場合、読取画像がそれぞれ５０％に変倍され（縮小され）、変倍後の２つの画像を配置して１ページ分の蓄積画像が形成され、その状態で、ドキュメントバンク機能に登録される。
【０００６】
したがって、このような状態でドキュメントバンク機能に登録された画像は、それ以降は、２枚が１つの画像として取り扱われるため、利用しづらいという不具合を生じるおそれがある。
【０００７】
特に、近年では、複合機がネットワーク環境に接続されて、他の機器、例えば、他の複合機、プリンタ装置、あるいは、サーバ装置から、複合機に蓄積された画像データを取り扱いたいという要求が発生する場合があるが、複合機に画像を蓄積するときのユーザの操作内容に、蓄積される画像データが影響されるので、他の機器で利用する際に画像編集作業が必要となる場合がある。
【０００８】
本発明は、かかる実情に鑑みてなされたものであり、蓄積した画像データの使い勝手を向上できる画像処理装置および画像処理装置の制御方法およびプログラムおよび記憶媒体を提供すること目的とする。
【課題を解決するための手段】
【０００９】
本発明は、画像読取機能を少なくとも備えた画像処理装置において、最終印刷物の印刷態様を操作入力する入力手段と、前記画像読取機能を用いて読み取って得た画像データを蓄積する画像蓄積手段を備え、画像読取時、前記入力手段より操作入力された操作情報を、前記画像蓄積手段に蓄積した画像データに関連して記憶するようにしたものである。
【００１０】
また、画像読取機能を少なくとも備えた画像処理装置の制御方法において、最終印刷物の印刷態様を操作入力する入力手段と、前記画像読取機能を用いて読み取って得た画像データを蓄積する画像蓄積手段を備え、画像読取時、前記入力手段より操作入力された操作情報を、前記画像蓄積手段に蓄積した画像データに関連して記憶するようにしたものである。
【００１１】
また、画像読取機能を少なくとも備えた画像処理装置において、最終印刷物の印刷態様を操作入力する入力手段と、前記画像読取機能を用いて読み取って得た画像データを蓄積する画像蓄積手段と、外部装置との間でデータをやりとりするための通信手段を備え、画像読取時、前記入力手段より操作入力された操作情報を、前記画像蓄積手段に蓄積した画像データに関連して記憶するとともに、前記画像蓄積手段に蓄積した画像データを前記通信手段を介して外部装置へ送信する際、当該画像データに関連して記憶した前記操作情報も送信するようにしたものである。
【００１２】
また、画像読取機能を少なくとも備えた画像処理装置の制御方法において、最終印刷物の印刷態様を操作入力する入力手段と、前記画像読取機能を用いて読み取って得た画像データを蓄積する画像蓄積手段と、外部装置との間でデータをやりとりするための通信手段を備え、画像読取時、前記入力手段より操作入力された操作情報を、前記画像蓄積手段に蓄積した画像データに関連して記憶するとともに、前記画像蓄積手段に蓄積した画像データを前記通信手段を介して外部装置へ送信する際、当該画像データに関連して記憶した前記操作情報も送信するようにしたものである。
【００１３】
また、画像読取機能を少なくとも備えた画像処理装置において、最終印刷物の印刷態様を操作入力する入力手段と、前記画像読取機能を用いて読み取って得た画像データを蓄積する画像蓄積手段と、外部装置との間でデータをやりとりするための通信手段を備え、画像読取時、前記入力手段より操作入力された操作情報を、前記画像蓄積手段に蓄積した画像データに関連して記憶するとともに、前記画像蓄積手段に蓄積した画像データを前記通信手段を介して外部装置へ送信する際、当該外部装置が画像形成装置である場合には、前記画像データおよび当該画像データに関連して記憶した前記操作情報を送信する一方、当該外部装置が画像形成装置以外である場合には、前記画像データを送信するようにしたものである。
【００１４】
また、画像読取機能を少なくとも備えた画像処理装置の制御方法において、最終印刷物の印刷態様を操作入力する入力手段と、前記画像読取機能を用いて読み取って得た画像データを蓄積する画像蓄積手段と、外部装置との間でデータをやりとりするための通信手段を備え、画像読取時、前記入力手段より操作入力された操作情報を、前記画像蓄積手段に蓄積した画像データに関連して記憶するとともに、前記画像蓄積手段に蓄積した画像データを前記通信手段を介して外部装置へ送信する際、当該外部装置が画像形成装置である場合には、前記画像データおよび当該画像データに関連して記憶した前記操作情報を送信する一方、当該外部装置が画像形成装置以外である場合には、前記画像データを送信するようにしたものである。
【００１５】
また、画像読取機能を少なくとも備えた画像処理装置において、最終印刷物の印刷態様を操作入力する入力手段と、前記画像読取機能を用いて読み取って得た画像データを蓄積する画像蓄積手段と、外部装置との間でデータをやりとりするための通信手段を備え、画像読取時、前記入力手段より操作入力された操作情報を、前記画像蓄積手段に蓄積した画像データに関連して記憶するとともに、前記画像蓄積手段に蓄積した画像データを前記通信手段を介して外部装置へ送信する際、当該外部装置が画像形成装置である場合には、当該外部装置の画像特性に応じて前記画像データと当該画像データに関連して記憶した前記操作情報を変換し、その変換後の画像データおよび操作情報を送信する一方、当該外部装置が画像形成装置以外である場合には、前記画像データのみを送信するようにしたものである。
【００１６】
また、画像読取機能を少なくとも備えた画像処理装置の制御方法において、最終印刷物の印刷態様を操作入力する入力手段と、前記画像読取機能を用いて読み取って得た画像データを蓄積する画像蓄積手段と、外部装置との間でデータをやりとりするための通信手段を備え、画像読取時、前記入力手段より操作入力された操作情報を、前記画像蓄積手段に蓄積した画像データに関連して記憶するとともに、前記画像蓄積手段に蓄積した画像データを前記通信手段を介して外部装置へ送信する際、当該外部装置が画像形成装置である場合には、当該外部装置の画像特性に応じて前記画像データと当該画像データに関連して記憶した前記操作情報を変換し、その変換後の画像データおよび操作情報を送信する一方、当該外部装置が画像形成装置以外である場合には、前記画像データのみを送信するようにしたものである。
【００１７】
また、画像読取機能、最終印刷物の印刷態様を操作入力する入力手段、および、前記画像読取機能を用いて読み取って得た画像データを蓄積する画像蓄積手段を少なくとも備えた画像処理装置に適用されるプログラムにおいて、画像読取時、前記入力手段より操作入力された操作情報を、前記画像蓄積手段に蓄積した画像データに関連して記憶する処理ステップを備えたものである。
【００１８】
また、画像読取機能、最終印刷物の印刷態様を操作入力する入力手段、前記画像読取機能を用いて読み取って得た画像データを蓄積する画像蓄積手段、および、外部装置との間でデータをやりとりするための通信手段を少なくとも備えた画像処理装置のプログラムにおいて、画像読取時、前記入力手段より操作入力された操作情報を、前記画像蓄積手段に蓄積した画像データに関連して記憶する処理ステップと、前記画像蓄積手段に蓄積した画像データを前記通信手段を介して外部装置へ送信する際、当該画像データに関連して記憶した前記操作情報も送信する処理ステップを備えたものである。
【００１９】
また、画像読取機能、最終印刷物の印刷態様を操作入力する入力手段、前記画像読取機能を用いて読み取って得た画像データを蓄積する画像蓄積手段、外部装置との間でデータをやりとりするための通信手段を少なくとも備えた画像処理装置のプログラムにおいて、画像読取時、前記入力手段より操作入力された操作情報を、前記画像蓄積手段に蓄積した画像データに関連して記憶する処理ステップと、前記画像蓄積手段に蓄積した画像データを前記通信手段を介して外部装置へ送信する際、当該外部装置が画像形成装置である場合には、前記画像データおよび当該画像データに関連して記憶した前記操作情報を送信する一方、当該外部装置が画像形成装置以外である場合には、前記画像データを送信する処理ステップを備えたものである。
【００２０】
また、画像読取機能、最終印刷物の印刷態様を操作入力する入力手段、前記画像読取機能を用いて読み取って得た画像データを蓄積する画像蓄積手段、外部装置との間でデータをやりとりするための通信手段を少なくとも備えた画像処理装置のプログラムにおいて、画像読取時、前記入力手段より操作入力された操作情報を、前記画像蓄積手段に蓄積した画像データに関連して記憶する処理ステップと、前記画像蓄積手段に蓄積した画像データを前記通信手段を介して外部装置へ送信する際、当該外部装置が画像形成装置である場合には、当該外部装置の画像特性に応じて前記画像データと当該画像データに関連して記憶した前記操作情報を変換し、その変換後の画像データおよび操作情報を送信する一方、当該外部装置が画像形成装置以外である場合には、前記画像データのみを送信する処理ステップを備えたものである。
【００２１】
また、請求項９または請求項１０または請求項１１または請求項１２に記載のプログラムを格納した記憶媒体である。
【発明の効果】
【００２２】
したがって、本発明によれば、画像データと、蓄積操作時にユーザが指定した操作内容をあらわす操作情報とが別々に保存されるので、画像データを再利用する際に非常に便利であるという効果を得る。
【発明を実施するための最良の形態】
【００２３】
以下、添付図面を参照しながら、本発明の実施の形態を詳細に説明する。
【００２４】
図１は、本発明の一実施例にかかる画像形成装置の一例を示している。この画像形成装置は、複写機能を備えている。
【００２５】
同図において、システム制御部１は、この画像形成装置の各部の制御処理、および、複写制御処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、この画像形成装置に固有な各種の情報を記憶するためのものであり、時計回路４は、現在時刻情報を出力するものである。
【００２６】
画像読取部５は、所定の解像度で原稿画像を読み取るためのものであり、読取制御部６は、画像読取部５の動作を制御するためのものである。また、画像印刷部７は、所定の解像度で画像を記録出力するためのものであり、印刷制御部８は、画像印刷部７の動作を制御するためのものである。操作表示部９は、この画像形成装置を操作するためのもので、各種の操作キー、および、各種の表示器からなる。
【００２７】
画像処理部１０は、画像読取部５により読み取って得た画像データについて、種々の画像処理（例えば、符号化復号化処理、変倍処理、画像特性変換処理など）を適用するためのものであり、磁気ディスク装置１１は、多数の画像データやそれ以外の種々のデータやデータファイルなどを蓄積するためのものである。
【００２８】
これらの、システム制御部１、システムメモリ２、パラメータメモリ３、時計回路４、読取制御部６、印刷制御部８、操作表示部９、画像処理部１０、および、磁気ディスク装置１１は、内部バス１２に接続されており、これらの各要素間でのデータのやりとりは、主としてこの内部バス１２を介して行われている。
【００２９】
また、磁気ディスク装置１１には、図２（ａ）に示すように、画像ファイルを蓄積するための画像ファイル領域と、印刷ジョブ情報を蓄積するための印刷ジョブ領域が設けられている。なお、磁気ディスク装置１１には、これ以外の適宜な情報記憶領域が設けられる場合がある。
【００３０】
画像ファイル領域には、同図（ｂ）に示すように、複数の画像ファイルが蓄積される。また、それぞれの画像ファイルは、同図（ｃ）に示すように、おのおのの画像ファイルを識別するためのファイルＩＤ、および、画像ファイル本体である画像データから構成される。
【００３１】
また、印刷ジョブ領域には、同図（ｄ）に示すように、複数の印刷ジョブ情報が蓄積される。また、それぞれの印刷ジョブ情報は、同図（ｅ）に示すように、当該印刷ジョブに含まれる１つ以上の画像ファイルのファイルＩＤをまとめてなる印刷ファイルデータテーブルと、複写動作時にユーザが操作した操作情報などからなる付加情報を保存するための付加情報テーブルからなる。
【００３２】
ここで、付加情報としては、編集系情報、画質系情報、および、機器固有情報などがある。
【００３３】
編集系情報としては、複数の画像を１枚の用紙に割り付ける集約モード（２ｉｎ１（２枚の画像を１枚の用紙に割り付ける集約モード）、４ｉｎ１（４枚の画像を１枚の用紙に割り付ける集約モード）など）、用紙の片面のみに画像を形成するか用紙の両面に画像を形成するをあらわす面付けモード（片面／両面）、製本処理の有無、画像の中央部を消去するセンター消去モード、画像の枠部分を消去する枠消去モード、とじしろを考慮して用紙に配置するとじしろモード、用紙に日付を印字する日付印字、用紙にページ番号を印字するページ印字、および、用紙に所定のスタンプを印字するスタンプ印字などがある。
【００３４】
また、画質系情報としては、読取解像度、読取モード（白黒／カラー）、読取元（読取装置の属性（画像形成装置のスキャナ、汎用のスキャナ、デジタルスチルカメラなど）、および、画質モード（文字／写真／特殊）などがある。
【００３５】
また、機器固有情報としては、機種コード、仕向地、および、ロット番号などがある。
【００３６】
以上の構成で、本実施例では、ユーザが画像読取部５の原稿台（図示略）に原稿をセットすると、システム制御部１は、読取制御部６による画像読取部５の読取動作を開始し、１ページの原稿画像を所定の解像度で読み取り、それによって得た画像データを、画像処理部１０により標準画像モデルの画像データへ変換するとともに、所定の圧縮形式の画像データへ変換し、磁気ディスク装置１１の画像ファイル領域へ蓄積し、この動作を、全ての原稿について繰り返し行う。ここで、標準画像モデルとは、色空間等の画像を形作る条件を、装置固有のものでなく、仮想的なものとして定義したものである。
【００３７】
また、この原稿の読み取り蓄積動作と並行して、ユーザの複写モードの操作が行われる。
【００３８】
そして、システム制御部１は、このときの印刷動作について、印刷ジョブ情報を生成し、このときのユーザの操作内容をあらわす付加情報を、生成した印刷ジョブ情報の付加情報テーブルに格納する。また、このとき読み取って磁気ディスク装置１１に蓄積した１つ以上の画像ファイルのファイルＩＤを、生成した印刷ジョブ情報の印刷ファイルデータテーブルに格納する。
【００３９】
ユーザの操作が終了し、全ての読み取り原稿の画像データが磁気ディスク装置１１に蓄積され、上述した印刷ジョブ情報が完了すると、そのときに形成した印刷ジョブ情報に従って、画像形成動作を行い、指定された複写モードの従った印刷物を印刷制御部８および画像印刷部７により形成して記録出力する。
【００４０】
図３は、原稿複写時の処理の概略の一例を示している。
【００４１】
ユーザが画像読取部５の原稿台に原稿をセットすると（処理１０１）、システム制御部１は、読取制御部６による画像読取部５の読取動作、および、読み取り画像の蓄積動作を開始する（処理１０２）。
【００４２】
また、この原稿の読み取り蓄積動作と並行して、ユーザの複写モードの操作が行われる（処理１０３）。このユーザの操作が終了すると、画像出力動作を行う（処理１０４）。
【００４３】
図４は、画像の読取・蓄積、および、付加情報の形成処理の概略を示している。
【００４４】
まず、１ページの原稿画像を所定の解像度で読み取り（処理２０１）、それによって得た画像データを、画像処理部１０により標準画像モデルの画像データへ変換するとともに（処理２０２）、所定の圧縮形式の画像データへ変換し、磁気ディスク装置１１の画像ファイル領域へ蓄積する（処理２０３）。
【００４５】
１ページ分の読取・蓄積を終了すると、次の読取原稿があるかどうかを調べ（判断２０４）、判断２０４の結果がＹＥＳになるときには、処理２０１へ戻り、次のページの原稿画像について、読取・蓄積動作を行う。
【００４６】
全ての読取原稿について読取・蓄積動作が終了した場合で、判断２０４の結果がＮＯになるときには、ユーザの複写操作が終了するまで待つ（判断２０５のＮＯループ）。判断２０５の結果がＹＥＳになるときには、このときのユーザの操作内容をあらわす付加情報をまとめた付加情報テーブルを形成する（処理２０６）。
【００４７】
次いで、このときの印刷ジョブについて、印刷ジョブ情報を作成し（処理２０７）、この処理を終了する。
【００４８】
図５は、画像出力処理（処理１０４）の一例を示している。
【００４９】
まず、そのときの画像印刷部７の装置状態（例えば、感光体の感光特性、現像材のトナー濃度など）と、標準的な装置状態からの差分パラメータを形成し、印刷制御部８へセットする（処理３０１）。
【００５０】
次いで、印刷ジョブ情報の付加情報テーブルの内容に従って、印刷ファイルデータテーブルに含まれる画像ファイルの印刷データを作成し（処理３０２）、処理３０２で作成した印刷データに対応した印刷物を、印刷制御部８および画像印刷部７により形成して記録出力する（処理３０３）。
【００５１】
このようにして、本実施例では、複写原稿の画像を１ページ毎蓄積するとともに、複写モード等の操作内容を付加情報として印刷ジョブ毎に保存し、複写物を作成する際には、印刷ジョブの付加情報の内容に従って画像形成するようにしているので、蓄積した画像データの使い回しを容易に行うことができる。
【００５２】
図６は、本発明の他の実施例にかかるネットワークシステムを示している。
【００５３】
同図において、このネットワークシステムは、ローカルエリアネットワークＬＡＮに接続されている２台のネットワーク複合機ＦＸａ，ＦＸｂ、および、サーバ装置ＳＭから構成されている。
【００５４】
ネットワーク複合機ＦＸａ，ＦＸｂは、複写機能および他の端末へ印刷ジョブ情報または画像ファイルを転送する機能を備えている。
【００５５】
図７は、ネットワーク複合機ＦＸ（ＦＸａ，ＦＸｂ）の一例を示している。なお、同図において、図１と同一部分および相当する部分には、同一符号を付している。
【００５６】
同図において、システム制御部１は、このネットワーク複合機ＦＸの各部の制御処理、複写制御処理、および、画像転送制御処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワーク複合機ＦＸに固有な各種の情報を記憶するためのものであり、時計回路４は、現在時刻情報を出力するものである。
【００５７】
画像読取部５は、所定の解像度で原稿画像を読み取るためのものであり、読取制御部６は、画像読取部５の動作を制御するためのものである。また、画像印刷部７は、所定の解像度で画像を記録出力するためのものであり、印刷制御部８は、画像印刷部７の動作を制御するためのものである。操作表示部９は、この画像形成装置を操作するためのもので、各種の操作キー、および、各種の表示器からなる。
【００５８】
画像処理部１０は、画像読取部５により読み取って得た画像データについて、種々の画像処理（例えば、符号化復号化処理、変倍処理、画像特性変換処理など）を適用するためのものであり、磁気ディスク装置１１は、多数の画像データやそれ以外の種々のデータやデータファイルなどを蓄積するためのものである。
【００５９】
ローカルエリアネットワークインターフェース回路１３は、このネットワーク複合機ＦＸをローカルエリアネットワークＬＡＮに接続するためのものであり、ローカルエリアネットワーク伝送制御部１４は、ローカルエリアネットワークＬＡＮを介して、他のデータ端末装置との間で種々のデータをやりとりするための各種所定のプロトコルスイートの通信制御処理を実行するためのものである。
【００６０】
これらの、システム制御部１、システムメモリ２、パラメータメモリ３、時計回路４、読取制御部６、印刷制御部８、操作表示部９、画像処理部１０、磁気ディスク装置１１、よび、ローカルエリアネットワーク伝送制御部１４は、内部バス１２に接続されており、これらの各要素間でのデータのやりとりは、主としてこの内部バス１２を介して行われている。
【００６１】
以上の構成で、本実施例では、ネットワーク複合機ＦＸａのユーザがネットワーク複合機ＦＸｂへ読み取った画像を転送する場合について説明する。
【００６２】
まず、ユーザが画像読取部５の原稿台（図示略）に原稿をセットすると、システム制御部１は、読取制御部６による画像読取部５の読取動作を開始し、１ページの原稿画像を所定の解像度で読み取り、それによって得た画像データを、画像処理部１０により標準画像モデルの画像データへ変換するとともに、所定の圧縮形式の画像データへ変換し、磁気ディスク装置１１の画像ファイル領域へ蓄積し、この動作を、全ての原稿について繰り返し行う。ここで、標準画像モデルとは、色空間等の画像を形作る条件を、装置固有のものでなく、仮想的なものとして定義したものである。
【００６３】
また、この原稿の読み取り蓄積動作と並行して、ユーザの転送動作の操作が行われる。この操作では、印刷物を形成する際の動作モードの操作、および、転送先のネットワーク複合機ＦＸｂのネットワークアドレスの入力操作などが行われる。
【００６４】
そして、システム制御部１は、このときの読取動作について、印刷ジョブ情報を生成し、このときのユーザの操作内容をあらわす付加情報を、生成した印刷ジョブ情報の付加情報テーブルに格納する。また、このとき読み取って磁気ディスク装置１１に蓄積した１つ以上の画像ファイルのファイルＩＤを、生成した印刷ジョブ情報の印刷ファイルデータテーブルに格納する。
【００６５】
ユーザの操作が終了し、全ての読み取り原稿の画像データが磁気ディスク装置１１に蓄積され、上述した印刷ジョブ情報が完了すると、システム制御部１は、指定されたネットワークアドレスのネットワーク複合機ＦＸｂへ接続し、そのときに形成した印刷ジョブ情報および当該印刷ジョブに含まれる画像ファイルを転送する。
【００６６】
図８は、この場合のネットワーク複合機ＦＸａの動作の一例を示している。
【００６７】
ユーザが画像読取部５の原稿台に原稿をセットすると（処理４０１）、システム制御部１は、読取制御部６による画像読取部５の読取動作、および、読み取り画像の蓄積動作を開始する（処理４０２）。
【００６８】
また、この原稿の読み取り蓄積動作と並行して、ユーザの印刷物を形成する際の動作モードの操作が行われる（処理４０３）。これにより、印刷ジョブ情報が形成され、動作モードの操作に対応した付加情報テーブルが形成されて印刷ジョブ情報に格納されるとともに、蓄積された画像ファイルをまとめた印刷ファイルデータテーブルが形成されて印刷ジョブ情報に格納される。
【００６９】
そして、ユーザの操作が終了すると、指定された転送先であるネットワーク複合機ＦＸｂに対して、保存した印刷ジョブ情報および当該印刷ジョブ情報の印刷ファイルデータテーブルに含まれる１つ以上の画像ファイルを転送する（処理４０４）。
【００７０】
図９は、ネットワーク複合機ＦＸａが、蓄積している印刷ジョブ情報を他のネットワーク複合機ＦＸｂへ転送する際の処理の一例を示している。
【００７１】
まず、ユーザは、転送先のネットワーク複合機ＦＸｂのネットワークアドレスと、転送対象となる印刷ジョブ情報を選択操作する（処理５０１）。次いで、指定された転送先であるネットワーク複合機ＦＸｂに対して、指定された印刷ジョブ情報および当該印刷ジョブ情報の印刷ファイルデータテーブルに含まれる１つ以上の画像ファイルを転送する（処理５０２）。
【００７２】
ところで、ネットワーク複合機ＦＸａからネットワーク複合機ＦＸｂへ印刷ジョブを転送する際、転送先のネットワーク複合機ＦＸｂの画像特性に応じて転送する情報を変換することで、転送先のネットワーク複合機ＦＸｂで記録出力される印刷物の内容を、送信ユーザが所望する内容（通常は、「読取原稿と同じ印刷物を得ること」）とすることができる。
【００７３】
この場合の送信側のネットワーク複合機ＦＸａの処理の一例を図１０に示す。
【００７４】
まず、ユーザは、転送先のネットワーク複合機ＦＸｂのネットワークアドレスと、転送対象となる印刷ジョブ情報を選択操作する（処理６０１）。これにより、転送先のネットワーク複合機ＦＸｂへ接続して、画像特性等の出力特性の情報を取得する（処理６０１）。
【００７５】
次に、取得した出力特性に応じて、指定された印刷ジョブ情報の印刷ファイルデータテーブルに含まれる１つ以上の画像ファイルのデータをそれぞれ変換する（処理６０３）。
【００７６】
そして、指定された転送先であるネットワーク複合機ＦＸｂに対して、指定された印刷ジョブ情報、および、処理６０３で変換して形成した画像データを転送する（処理６０４）。
【００７７】
図１１は、ネットワーク複合機ＦＸからサーバ装置ＳＭへ印刷ジョブ情報にかかる画像ファイルを転送する際の処理の一例を示している。
【００７８】
まず、ユーザは、転送先のサーバ装置ＳＭのネットワークアドレスと、転送対象となる印刷ジョブ情報を選択操作するとともに、宛先が画像形成手段を備えていない旨を指定操作する（処理７０１）。
【００７９】
次いで、指定された転送先であるサーバ装置ＳＭに対して、指定された印刷ジョブ情報の印刷ファイルデータテーブルに含まれる１つ以上の画像ファイルを転送する（処理７０２）。
【００８０】
ここで、この場合、サーバ装置ＳＭに転送する画像ファイルの画像形式は、ＲＧＢ形式のものであることが好ましい。したがって、かかる場合に対応できるように、画像ファイルを蓄積する際、ＲＧＢ形式の画像データへ変換することが好ましい。
【００８１】
すなわち、この場合の画像の標準モデルは、画像形式がＲＧＢ形式であると定めると良い。
【００８２】
なお、上述した実施例では、複写機能を備えた画像形成装置について、本発明を適用した場合について説明しているが、複写機能以外にプリンタ機能やスキャン・ツー・イーメール機能やファクシミリ機能等を備えた装置についても本発明を同様にして適用することができる。
【図面の簡単な説明】
【００８３】
【図１】本発明の一実施例にかかる画像形成装置の一例を示したブロック図。
【図２】磁気ディスク装置１１の記憶領域の構成の一例を示した概略図。
【図３】原稿複写時の処理の概略の一例を示したフローチャート。
【図４】画像の読取・蓄積、および、付加情報の形成処理の概略を示したフローチャート。
【図５】画像出力処理（処理１０４）の一例を示したフローチャート。
【図６】本発明の他の実施例にかかるネットワークシステムを示したブロック図。
【図７】ネットワーク複合機ＦＸ（ＦＸａ，ＦＸｂ）の構成の一例を示したブロック図。
【図８】ネットワーク複合機ＦＸａの動作の一例を示したフローチャート。
【図９】蓄積している印刷ジョブ情報を他のネットワーク複合機ＦＸｂへ転送する際の処理の一例を示したフローチャート。
【図１０】送信側のネットワーク複合機ＦＸａの処理の一例を示したフローチャート。
【図１１】ネットワーク複合機ＦＸからサーバ装置ＳＭへ印刷ジョブ情報にかかる画像ファイルを転送する際の処理の一例を示したフローチャート。
【符号の説明】
【００８４】
１  システム制御部
２  システムメモリ
３  パラメータメモリ
５  画像読取部
６  読取制御部
７  画像印刷部
８  印刷制御部
９  操作表示部
１０  画像処理部
１１  磁気ディスク装置
１３  ローカルエリアネットワークインターフェース回路
１４  ローカルエリアネットワーク伝送制御部
ＦＸａ，ＦＸｂ  ネットワーク複合機
ＳＭ  サーバ装置
【図１】
2007028259.tif 000003
【図２】
2007028259.tif 000004
【図３】
2007028259.tif 000005
【図４】
2007028259.tif 000006
【図５】
2007028259.tif 000007
【図６】
2007028259.tif 000008
【図７】
2007028259.tif 000009
【図８】
2007028259.tif 000010
【図９】
2007028259.tif 000011
【図１０】
2007028259.tif 000012
【図１１】
2007028259.tif 000013